(57)【要約】      （修正有）【課題】自動車の制御装置群の作動制御装置、および制御装置を作動するための方法を提供する。【解決手段】作動制御装置１８はメモリ１９を備え、メモリ１９に、制御装置群１２の目標群、制御装置群１２の被作動制御装置１３、１４、１５、１６に関する作動命令が記憶されている。作動制御装置１８はデータインターフェース２０、２１を備え、データインターフェース２０、２１を介して、制御装置群１２の被作動制御装置１３、１４、１５、１６、車外試験システム２２とデータを交換可能である。作動制御装置１８はプロセッサ２３を備え、プロセッサ２３が、制御装置群１２の被作動制御装置１３、１４、１５、１６のデータに基づいて、制御装置群１２の少なくともいくつかの被作動制御装置１３、１４、１５、１６について現在群が目標群に対応しているかどうか検査する。【選択図】図１
2019002917.tif 000002
【特許請求の範囲】
【請求項１】
自動車の制御装置群（１２）の制御装置（１３、１４、１５、１６）を作動するための自動車の作動制御装置（１８）であって、前記制御装置群（１２）が、複数の被作動制御装置（１３、１４、１５、１６）を備え、
前記作動制御装置（１８）がメモリ（１９）を備え、前記メモリ（１９）に、一方として、前記制御装置群（１２）の目標群、他方として、前記制御装置群（１２）の前記被作動制御装置（１３、１４、１５、１６）に関する作動命令が記憶されており、
前記作動制御装置（１８）がデータインターフェース（２０、２１）を備え、前記データインターフェース（２０、２１）を介して、一方では、前記制御装置群（１２）の前記被作動制御装置（１３、１４、１５、１６）、他方では、車外試験システム（２２）とデータを交換可能であり、
前記作動制御装置（１８）がプロセッサ（２３）を備え、前記プロセッサ（２３）が、前記制御装置群（１２）の前記被作動制御装置（１３、１４、１５、１６）のデータに基づいて、前記制御装置群（１２）の少なくともいくつかの被作動制御装置（１３、１４、１５、１６）について現在群が前記目標群に対応しているかどうか検査し、これが成り立つとき、少なくとも前記制御装置群（１２）の前記被作動制御装置（１３、１４、１５、１６）を作動するための作動命令の実行を自動的に開始する
作動制御装置（１８）。
【請求項２】
前記プロセッサ（２３）が、さらに作動前提条件として、制御装置群（１２）のための電流または電圧供給、および場合によっては前記被作動制御装置に関する個々の作動関連の前提条件が保証されているときに、それぞれの被作動制御装置（１３、１４、１５、１６）を作動するための作動命令を自動的に実行することを特徴とする請求項１に記載の作動制御装置。
【請求項３】
前記制御装置群（１２）の前記目標群と、前記制御装置群（１２）の前記被作動制御装置（１３、１４、１５、１６）に関する前記作動命令が、前記第１の作動プロセスの前に前記作動制御装置によって前記メモリ（１９）に記憶されていることを特徴とする請求項１または２に記載の作動制御装置。
【請求項４】
データインターフェース（２０）を介して前記作動命令を前記制御装置群（１２）の前記被作動制御装置に伝送し、前記作動命令の実行に関するステータスメッセージを前記データインターフェース（２０）を介して受信することを特徴とする請求項１〜３のいずれか一項に記載の作動制御装置。
【請求項５】
前記作動命令の実行に関する前記ステータスメッセージを、前記データインターフェース（２１）を介して前記試験システム（２２）に伝送することを特徴とする請求項４に記載の作動制御装置。
【請求項６】
制御装置群（１２）の前記被作動制御装置（１３、１４、１５、１６）を作動するための前記作動命令の実行を連続的に開始する、すなわち、個々の被作動制御装置について前記現在群が前記目標群に対応しているときに開始することを特徴とする請求項１〜５のいずれか一項に記載の作動制御装置。
【請求項７】
全ての被作動制御装置（１３、１４、１５、１６）について前記現在群が前記目標群に対応しているときに、前記制御装置群（１２）の前記制御装置（１３、１４、１５、１６）を作動するための前記作動命令の実行を開始することを特徴とする請求項１〜５のいずれか一項に記載の作動制御装置。
【請求項８】
請求項１〜７のいずれか一項に記載の作動制御装置（１８）と、前記作動制御装置（１８）によって作動される制御装置（１３、１４、１５、１６）とを備える、自動車の制御装置群（１２）。
【請求項９】
自動車の制御装置群の制御装置を製造段階で作動するための方法であって、少なくとも、
前記自動車の前記製造中、請求項１〜７のいずれか一項に記載の作動制御装置と、前記群の前記被作動制御装置とが自動車内に設置されるステップと、
前記自動車の前記製造中、前記作動制御装置が、前記制御装置群の少なくともいくつかの被作動制御装置について、前記制御装置群の現在群が、前記作動制御装置に記憶されているその目標群に対応しているかどうか自動的に検査するステップと、
前記制御装置群の少なくともいくつかの被作動制御装置について前記現在群が前記目標群に対応していると前記作動制御装置が判断したときに、前記自動車の前記製造中に、前記制御装置群の少なくとも前記被作動制御装置を作動するための作動命令の実行を前記作動制御装置によって自動的に開始するステップと、
を含む方法。
【請求項１０】
前記作動命令の前記実行が、さらに作動前提条件として、前記制御装置群のための電流または電圧供給が保証されているときに自動的に開始されることを特徴とする請求項９に記載の方法。
【請求項１１】
前記自動車の前記製造中、前記作動命令の前記実行に関するステータスメッセージが、前記制御装置群の前記被作動制御装置から前記作動制御装置に自動的に伝送されることを特徴とする請求項９または１０に記載の方法。
【請求項１２】
前記作動命令の前記実行に関する前記ステータスメッセージが試験システムに伝送されることを特徴とする請求項１１に記載の方法。
【請求項１３】
前記作動命令の前記実行に関する前記ステータスメッセージの前記試験システムへの伝送が、前記試験システムによって開始されることを特徴とする請求項１２に記載の方法。
【請求項１４】
前記制御装置群の前記被作動制御装置を作動するための前記作動命令の実行を連続的に開始する、すなわち、個々の被作動制御装置について前記現在群が前記目標群に対応しているときに開始することを特徴とする請求項９〜１３のいずれか一項に記載の方法。
【請求項１５】
全ての被作動制御装置について前記現在群が前記目標群に対応しているときに、前記制御装置群の前記被作動制御装置を作動するための前記作動命令の実行を開始することを特徴とする請求項９〜１４のいずれか一項に記載の方法。
【発明の詳細な説明】
【技術分野】
【０００１】
本発明は、自動車の制御装置群の作動制御装置と、その群の制御装置を製造段階で作動するための方法とに関する。
【背景技術】
【０００２】
自動車は、自動車の製造中に作動させなければならない複数の制御装置を備える自動車制御システムを備える。そのような自動車制御システムを制御装置群と呼ぶ。制御装置群の制御装置を作動するために、実用から知られている自動車用の製造法では、自動車の製造中に、テスタとも呼ばれる製造制御装置によって発動されて、自動車のいわゆるＯＢＤボックスを介して製造制御装置と自動車との間の通信が確立され、ここで、製造制御装置からＯＢＤボックスを介して制御装置群の制御装置へデータパケット、すなわち例えば制御装置群の制御装置を作動させる作動命令が伝送されるようになされている。制御装置群の制御装置の正常に実行された作動は、自動車のＯＢＤボックスを介して製造制御装置、すなわちテスタに報告される。したがって、実際には、自動車製造中、自動車の制御装置群の制御装置の作動は外部指令され、すなわち、製造者が操作する製造制御装置を介して制御システムの作動を製造段階で発動する。
【０００３】
（特許文献１）および（特許文献２）から、自動車制御システムの制御装置の外部指令プログラミングが知られている。
【０００４】
（特許文献３）および（特許文献４）から、さらなる従来技術が知られている。
【先行技術文献】
【特許文献】
【０００５】
【特許文献１】独国特許出願公開第１０  ２０１５  ２０３  ７７６  Ａ１号明細書
【特許文献２】独国特許出願公開第１０１  ０７  ２６３  Ａ１号明細書
【特許文献３】独国特許出願公開第１０１  ５３  ４４７  Ａ１号明細書
【特許文献４】独国特許出願公開第４１  ２８  ９２２  Ａ１号明細書
【発明の概要】
【発明が解決しようとする課題】
【０００６】
本発明の目的は、自動車の製造をさらに経済的に行うことができる、自動車の制御装置群の新規の作動制御装置を提供することである。
【０００７】
さらに、自動車の制御装置群の制御装置を製造段階で作動するための対応する方法が提供される。
【課題を解決するための手段】
【０００８】
この目的は、請求項１に記載の自動車の作動制御装置によって達成される。
【０００９】
自動車に設置された本発明による作動制御装置はメモリを含み、メモリには、一方では、制御装置群の目標群、他方では、制御装置群の被作動制御装置に関する作動命令が記憶されている。
【００１０】
本発明による作動制御装置はデータインターフェースをさらに含み、データインターフェースを介して、一方では、制御装置群の被作動制御装置、他方では、車外試験システムとデータを交換する。
【００１１】
本発明による作動制御装置はプロセッサをさらに備え、プロセッサは、制御装置群の被作動制御装置のデータに基づいて、制御装置群の少なくともいくつかの被作動制御装置について現在群が目標群に対応しているかどうか検査し、これが成り立つとき、少なくとも制御装置群の被作動制御装置を作動するための作動命令の実行を自動的に開始する。
【００１２】
本発明は、自動車の制御装置群の制御装置を作動するための作動制御装置を提案し、この作動制御装置は、自動車の製造中、制御装置群の被作動制御装置の作動を自律的および自動的に開始する。
【００１３】
したがって、本発明によれば、制御装置群の制御装置の外部指令作動は、制御装置群の制御装置の自律的で自動的な作動によって置き換えられ、それにより、自動車の製造の経済性を高めることができる。さらに、製造プロセスの多様性および融通性が高まる。
【００１４】
好ましくは、プロセッサは、さらに作動前提条件として、制御装置群のための電流または電圧供給が保証されているときに、それぞれの被作動制御装置を作動するための作動命令を自動的に実行する。これは、自律的で自動的な作動に特に適している。
【００１５】
本発明の有利な発展形態によれば、作動制御装置は、データインターフェースを介して制御装置群の被作動制御装置に作動命令を伝送し、データインターフェースを介して作動命令の実行に関するステータスメッセージを受信する。作動制御装置は、制御装置群の制御装置の作動を開始するだけでなく、制御装置群の制御装置の正常な作動の記録も行う。
【００１６】
好ましくは、作動制御装置は、作動命令の実行に関するステータスメッセージを、データインターフェースを介して試験システムに伝送する。それにより、作動制御装置による制御装置群の制御装置の自律的で自動的な作動の後に、製造プロセスにおける作動の正常な実行をより高レベルで記録または記憶することができる。
【００１７】
好ましくは、作動制御装置は、制御装置群の被作動制御装置を作動するための命令の実行を連続的に開始する、すなわち、個別または個々の制御装置について現在群がそれぞれの目標群に対応しているときに開始する。代替形態として、作動制御装置は、全ての被作動制御装置について現在群が目標群に対応しているときに、制御装置群の被作動制御装置を作動するための作動命令の実行を開始する。目標群は、自動車に特有のものである。
【００１８】
その群の制御装置を製造段階で作動するための方法は、請求項９に定義されている。
【００１９】
本発明の好ましい発展形態は、従属請求項および以下の説明から明らかになろう。以下、限定はせずに、図面を参照して本発明の例示的実施形態を詳細に説明する。
【図面の簡単な説明】
【００２０】
【図１】本発明を説明するブロック図である。
【発明を実施するための形態】
【００２１】
本発明は、自動車の制御装置群の作動制御装置に関する。さらに、本発明は、そのような作動制御装置を含む制御装置群と、制御装置群の制御装置を製造段階で作動するための方法とに関する。
【００２２】
図１は、車輪１１と、自動車に設置された制御装置群１２とを備える自動車１０を非常に概略的に示す。制御装置群１２は、複数の被作動制御装置１３、１４、１５、および１６を含み、それらの被作動制御装置１３、１４、１５、および１６は、データバス１７を介して通信する、またはデータを交換することができる。被作動制御装置１３、１４、１５、および１６は、例えば、自動車１０の駆動ユニット用の制御装置、ヘッドライト用の制御装置、ブレーキ用の制御装置、および自動車１０のエンターテインメントシステム用の制御装置でよい。これらの制御装置は例示にすぎない。
【００２３】
制御装置群１２は、本発明による作動制御装置１８を含む。作動制御装置１８は、自動車１０に固定して設置され、やはりデータバス１７に接続されている。
【００２４】
本発明による作動制御装置１８はメモリ１９を含み、メモリ１９には、一方では、制御装置群１２の目標群、他方では、制御装置群１２の被作動制御装置１３、１４、１５、１６に関する作動命令が記憶されている。
【００２５】
作動制御装置１８に記憶されている制御装置群１２の目標群は、制御装置群１２の各被作動制御装置１３、１４、１５、１６ごとに、それぞれの制御装置が通信するアセンブリを定義する。
【００２６】
さらに、本発明による作動制御装置１８は、データインターフェース２０、２１を備える。
【００２７】
図示される例示的実施形態では、作動制御装置１８は、第１のデータインターフェース２０を介してデータバス１７に結合され、この第１のデータインターフェース２０を介して、群１２の被作動制御装置１３、１４、１５、および１６とデータを交換する。
【００２８】
作動制御装置１８は、第２のデータインターフェース２０を介して、好ましくは有線ではなく無線またはワイヤレスで車外試験システム２２とデータを交換することができる。
【００２９】
さらに、本発明による作動制御装置１８はプロセッサ２３を含む。プロセッサ２３は、群１２の被作動制御装置１３、１４、１５、および１６がデータインターフェース２０を介して作動制御装置１８に提供するデータに基づいて、自動車に設置されている群１２の現在群がその目標群に対応しているかどうか検査する。
【００３０】
設置されている制御装置群の確認された現在群が、作動制御装置１８に記憶されている目標群に対応しているとき、作動制御装置１８は、製造プロセス中に、群１２の制御装置の作動を実施可能または実行可能であると自動的に認識する。
【００３１】
さらに作動前提条件として、制御装置群１２のための電流または電圧供給を作動制御装置１８が認識するとき、作動制御装置１８は、メモリ１９に記憶されている、群１２の被作動制御装置１３、１４、１５、および１６を作動するための作動命令の実行を自律的に、したがって自動的に開始する。作動制御装置１８が作動を開始する前にさらなる作動前提条件を検査することもできる。
【００３２】
このために、プロセッサ２３は、作動命令をメモリ１９から読み出し、データインターフェース２０およびデータバス１７を介して被作動制御装置１３、１４、１５、および１６に伝送し、次いで、被作動制御装置１３、１４、１５、および１６は、それらの作動のために作動命令を実行する。
【００３３】
制御装置群１２の目標群および作動命令は、作動制御装置１８を自動車に組み立てる前に作動制御装置１８に記憶され、したがって、対応するデータを記憶された作動制御装置１８が製造のために準備され、次いで、製造時、制御装置群１２の別のアセンブリと共に自動車内に設置される。
【００３４】
ここで、作動制御装置１８は、製造プロセス中に構成されている制御装置群１２の現在群が目標群に対応しているかどうか、ならびに電流および電圧供給が保証されているかどうか、製造中に自律的および自動的に検査することができる。これらの条件が成り立つとき、作動制御装置１８は、制御装置群１２の被作動制御装置１３、１４、１５、および１６の作動を自動的に開始する。
【００３５】
制御装置群１２の作動は、多様で融通性があり、製造プロセス中に自律的および自動的に行われ、すなわち、製造者による外からの外部指令の発動は必要ない。
【００３６】
作動時、群１２の被作動制御装置は、データパケットでプログラムする、および／またはパラメータ化することができる。
【００３７】
被作動制御装置１３、１４、１５、１６の正常または異常作動に関するステータスメッセージを、被作動制御装置１３、１４、１５、１６からデータバス１７およびデータインターフェース２０を介して作動制御装置１８に伝送可能である。
【００３８】
したがって、作動制御装置１８は、被作動制御装置１３、１４、１５、および１６に作動命令を伝送するだけでなく、データインターフェース２０を介して、被作動制御装置１３、１４、１５および１６による作動命令の正常または異常実行に関するステータスメッセージを受信もする。
【００３９】
ステータスメッセージは、作動制御装置１８によってそのメモリ１９に記憶することができ、その後、製造プロセスの終了時にデータインターフェース２１を介して車外試験システム２２に伝送される。車外試験システム２２は、製造場の製造試験システムであることが好ましい。
【００４０】
したがって、自動車１０の制御装置群１２の製造段階で作動するために、まず自動車の製造中に、制御装置群１２の作動制御装置１８と共に被作動制御装置１３、１４、１５、および１６を自動車１０に設置されるようになされている。
【００４１】
自動車１０の製造中、作動制御装置１８は、群１２の現在群が作動制御装置１８のメモリ１９に記憶されているその目標群に対応しているかどうか、ならびに、制御装置群のための電流または電圧供給が与えられているかどうか自律的および自動的に検査する。目標群は、自動車ごとに固有のものである。
【００４２】
製造中に上記の条件が満たされていると作動制御装置１８が自律的および自動的に判断すると、作動制御装置１８は、被作動制御装置１３、１４、１５、および１６に関する作動命令のそれらによる実行を、製造中に自律的および自動的に開始する。これは、作動制御装置１８が、作動命令をメモリ１９から読み出し、データインターフェース２０およびデータバス１７を介して、実行のために被作動制御装置１３、１４、１５、および１６に自動的および自律的に伝送することによって行われる。ここで、制御装置は、データパケットでプログラミングする、および／またはパラメータ化することができる。
【００４３】
自動車の製造中、被作動制御装置１３、１４、１５、および１６は、つまりデータバス１７およびデータインターフェース２０を介して、作動命令の実行に関するステータスメッセージを作動制御装置１８に自動的に送信する。作動命令の実行に関するこれらのステータスメッセージは、好ましくは、作動制御装置１８のメモリ１９に記憶され、その後、試験システム２２に伝送することができ、ここで、作動命令の実行に関するステータスメッセージの試験システム２２への伝送は、好ましくは自動的にではなく試験システム２２によって開始され、すなわち、事前定義された点、または製造プロセス中の事前定義された製造状態で開始される。
【００４４】
本発明は、より自動化された自動車の製造を可能にする。制御装置群１２の被作動制御装置の作動は、外部指令で行われるのではなく、むしろ自律的および自動的に行われる。
【００４５】
これにより、自動化レベルだけでなく製造の多様性や融通性も高まる。
【００４６】
したがって、例えば、群１２の制御装置を連続的に自動的および自律的に作動することができ、すなわち、対応する制御装置が設置され、その制御装置について現在群が目標群に対応しているときには常に作動することができる。したがって、全ての制御装置が自動車に設置されるまで待つ必要はなく、むしろ制御装置群の１つの制御装置の設置後に、その制御装置を、同様に設置済みの作動制御装置１８によって自動的および自律的に作動させることができる。
【００４７】
これにより、製造に必要な時間をさらに短縮することができる。自動車の製造プロセスの経済性をさらに高めることができる。
【００４８】
自動車の制御装置群１２は、作動制御装置１８と、作動制御装置１８によって作動される制御装置１３、１４、１５、１６とを含む。
【符号の説明】
【００４９】
１２  制御装置群
１３、１４、１５、１６  被作動制御装置
１８  作動制御装置
１９  メモリ
２０、２１  データインターフェース
２２  車外試験システム
２３  プロセッサ
【図１】
2019002917.tif 000003